(57)【要約】【課題】部材の汎用性が高められるとともに、既設の建具にも機能面材を後付け可能にできる機能面材の取付構造、取付方法および建具を提供すること。【解決手段】縦枠７における縦枠室内固定片７Ｂの見込み面部７１にガイド部材８を設け、このガイド部材８を介して網戸枠４０が固定されるので、枠材に予め部品固定部などを形成しておく必要がない。従って、各種形式の建具や既設の建具に対しても、その枠材の室内固定片にガイド部材８を設けるだけで、網戸枠４０のような機能枠材を固定することができるので、枠材や機能枠材の種類を増やすことなく汎用性が高められるとともに、利用者の要求に応じて網戸４等の機能面材を後付けで取り付けることができる。【選択図】図３
2010053626.tif 000002
【特許請求の範囲】
【請求項１】
外壁開口部に設けられる建具に対して室内側から取り付けられる機能面材の取付構造であって、
前記建具は、四周枠組みされた枠材を有するとともに、前記枠材のうちの少なくとも互いに対向する一対の枠材には、見込み方向室内側に延びて内装材に固定される室内固定片が設けられており、
前記機能面材は、四周枠組みされる機能枠材と、この機能枠材に支持される面状部材とを有して構成され、
前記一対の枠材における前記室内固定片の見込み面には、それぞれ当該枠材の長手方向に沿ったガイド部材が設けられ、
前記機能枠材のうちの互いに対向する一対の機能枠材は、前記ガイド部材に沿って設けられるとともに、当該ガイド部材を介して前記室内固定片に固定されている機能面材の取付構造。
【請求項２】
前記ガイド部材は、前記室内固定片の見込み面と平行に設けられて前記機能枠材を見込み方向に案内する案内面と、この案内面の室外側端から見付け方向内方に突出して前記機能枠材に当接する位置決め部とを有して形成されている請求項１に記載の機能面材の取付構造。
【請求項３】
前記ガイド部材は、前記室内固定片に仮固定され、前記機能枠材の見付け方向内側から貫通する固着具によって当該機能枠材、ガイド部材および前記室内固定片が固定されている請求項１または請求項２に記載の機能面材の取付構造。
【請求項４】
前記ガイド部材の室内側端縁と前記室内固定片の室内側端縁とが互いに略同一の見込み位置に設けられている請求項１から請求項３のいずれかに記載の機能面材の取付構造。
【請求項５】
前記室内固定片の見込み面と対向する前記ガイド部材の対向面には、当該ガイド部材の長手方向に沿って凹んだ凹溝部が形成されている請求項１から請求項４のいずれかに記載の機能面材の取付構造。
【請求項６】
四周枠組みされる枠材を有して外壁開口部に固定される枠体と、この枠体の内部に支持される面材と、この面材の室内側に対向して設けられる機能面材とを備えた建具であって、
前記枠材のうちの少なくとも互いに対向する一対の枠材には、見込み方向室内側に延びて内装材に固定される室内固定片が設けられ、
前記機能面材が請求項１から請求項５のいずれかに記載の取付構造によって前記枠体に取り付けられている建具。
【請求項７】
外壁開口部に設けられる建具に対して機能面材を室内側から取り付ける機能面材の取付方法であって、
前記建具は、四周枠組みされた枠材を有するとともに、前記枠材のうちの少なくとも互いに対向する一対の枠材には、見込み方向室内側に延びて内装材に固定される室内固定片が設けられ、
前記機能面材は、四周枠組みされる機能枠材と、この機能枠材に支持される面状部材とを有して構成されており、
前記一対の枠材における前記室内固定片の見込み面に、それぞれ当該枠材の長手方向に沿ったガイド部材を仮固定し、
前記機能枠材のうちの互いに対向する一対の機能枠材を前記ガイド部材に沿わせて前記枠体に位置決めしてから、
前記一対の機能枠材を前記室内固定片に固定する機能面材の取付方法。
【発明の詳細な説明】
【技術分野】
【０００１】
本発明は、建具に対して機能面材を室内側から取り付ける機能面材の取付構造、取付方法および建具に関する。
【背景技術】
【０００２】
従来、開き窓や縦辷出し窓等の建具であって、室外側に開閉自在に窓枠に支持された障子と、この障子よりも室内側にて開閉可能または着脱可能に設けられた機能面材としての網戸とを備えたものが提案されている（例えば、特許文献１参照）。
特許文献１に記載された網戸は、四周框組みされた網戸框と、この網戸框の内部に支持されたネットとを有し、縦枠に固定された縦枠アタッチメントを介して窓枠に取り付けられるようになっている。縦枠アタッチメントは、縦枠に形成した突起に係合する係合部と、網戸框に設けたラッチに係合して網戸を支持する支持部（被係合部）とを有して形成されている。
【０００３】
【特許文献１】特開平１１−３１５６７９号公報
【発明の開示】
【発明が解決しようとする課題】
【０００４】
しかしながら、前記特許文献１に記載されたような従来の建具では、縦枠アタッチメント等の部品を窓枠（縦枠など）に固定し、この部品を介して網戸を取り付ける構造であるため、窓枠に突起などの部品固定部を予め形成しておく必要がある。このため、窓枠とアタッチメントおよび網戸との組み合わせが限定されて各部材ごとの汎用性が低下するとともに、部品固定部が形成されていない窓枠（例えば、既設の窓枠）に対してはアタッチメントが固定できずに網戸が取り付けられないなどの不都合が生じる。
【０００５】
本発明の目的は、部材の汎用性が高められるとともに、既設の建具にも機能面材を後付け可能にできる機能面材の取付構造、取付方法および建具を提供することにある。
【課題を解決するための手段】
【０００６】
本発明の機能面材の取付構造は、外壁開口部に設けられる建具に対して室内側から取り付けられる機能面材の取付構造であって、前記建具は、四周枠組みされた枠材を有するとともに、前記枠材のうちの少なくとも互いに対向する一対の枠材には、見込み方向室内側に延びて内装材に固定される室内固定片が設けられており、前記機能面材は、四周枠組みされる機能枠材と、この機能枠材に支持される面状部材とを有して構成され、前記一対の枠材における前記室内固定片の見込み面には、それぞれ当該枠材の長手方向に沿ったガイド部材が設けられ、前記機能枠材のうちの互いに対向する一対の機能枠材は、前記ガイド部材に沿って設けられるとともに、当該ガイド部材を介して前記室内固定片に固定されていることを特徴とする。
【０００７】
ここで、本発明において、機能面材を取り付ける建具としては、外開き窓や縦（横）辷出し窓、突き出し窓などの面材が室外側に回動して開閉されるもの、引違い窓や片引き窓、上げ下げ窓などの面材が左右または上下にスライドして開放されるものなど、各種の開閉形式を有した建具が例示できるとともに、開閉不能な面材を有した嵌め殺し窓などの建具であってもよい。そして、機能面材としては、ロール網戸や開き網戸、着脱網戸、固定網戸などの各種網戸の他に、各種のブラインドやルーバー、カーテンなどの遮光装置であってもよく、さらには意匠パネルなどであってもよい。
【０００８】
以上の本発明によれば、対向する一対の枠材における室内固定片の見込み面にガイド部材を設けることで、枠材に予め部品固定部などが形成されていなくても、ガイド部材を介して機能枠材を枠材に固定することができる。そして、室内固定片を有した枠材であればガイド部材を設けるだけで、建具の形式あるいは新設、既設を問わずに機能枠材が固定できるので、枠材や機能枠材の種類を増やすことなく、また利用者の要求に応じて機能面材を取り付けることができる。従って、枠材と機能枠材との組み合わせが限定されることなく、各部材の汎用性が高められるとともに、既設の建具にも機能面材を後付け可能にでき、利用者の利便性を向上させることができる。
【０００９】
また、室内固定片の見込み面に設けたガイド部材を介して機能枠材を固定することで、内装材の形態による納まり位置の差異や仕上げ寸法誤差などをガイド部材で吸収することができ、機能枠材の取付精度を向上させるとともに、取付施工時の作業性を向上させることができる。すなわち、内装材としては、木質の額縁材や、クロス貼り石膏ボード等の内壁材など各種の仕上げ形式のものがあるが、これらの内装材は、現場施工されるために施工精度にばらつきがある。一方、内装材と枠体の室内固定片との取り合い部分の形態に関しても各種の納まりがあり、例えば、室内固定片の室内側端縁に内装材が被さるような場合もある。このように、枠体と内装材とが様々な納まりで取り合ったとしても、室内固定片の見込み面にガイド部材を設けることで、このガイド部材の寸法に応じて室内固定片および内装材から機能枠材を所定量だけ逃がすことができ、室内固定片や内装材と機能枠材との干渉を防止して、機能面材の取付精度および取付作業性を向上させることができる。
【００１０】
この際、本発明の機能面材の取付構造では、前記ガイド部材は、前記室内固定片の見込み面と平行に設けられて前記機能枠材を見込み方向に案内する案内面と、この案内面の室外側端から見付け方向内方に突出して前記機能枠材に当接する位置決め部とを有して形成されていることが好ましい。
このような構成によれば、機能面材の取付に際して、ガイド部材の案内面で機能枠材を見込み方向に案内するとともに、位置決め部に当接させて機能枠材の見込み位置を位置決めすることで、機能面材の取付精度をさらに向上させるとともに、容易かつ確実な取付作業を実施可能にして作業効率が向上できる。
【００１１】
また、本発明の機能面材の取付構造では、前記ガイド部材は、前記室内固定片に仮固定され、前記機能枠材の見付け方向内側から貫通する固着具によって当該機能枠材、ガイド部材および前記室内固定片が固定されていることが好ましい。
このような構成によれば、ガイド部材を仮固定した状態で機能枠材をセットし、これらの機能枠材およびガイド部材を同一の固着具で貫通して室内固定片と固定することで、固定作業の作業工程を簡単化して作業効率を向上させることができる。ここで、ガイド部材を室内固定片に仮固定する手段としては、両面テープや接着剤、クリップ等の係止具など、任意の仮固定手段が利用可能であり、建具の設置場所や環境に応じて適宜な仮固定手段を選択することができる。
【００１２】
さらに、本発明の機能面材の取付構造では、前記ガイド部材の室内側端縁と前記室内固定片の室内側端縁とが互いに略同一の見込み位置に設けられていることが好ましい。
このような構成によれば、ガイド部材を室内固定片に設置する際に、互いの室内側端縁を揃えて略同一の見込み位置とすることで、ガイド部材の見込み位置を容易に位置決めすることができる。これにより、機能面材の取付精度をさらに向上させることができるとともに、ガイド部材および室内固定片の室内側端縁が揃っていることで、建具の意匠性を向上させることができる。
【００１３】
また、本発明の機能面材の取付構造では、前記室内固定片の見込み面と対向する前記ガイド部材の対向面には、当該ガイド部材の長手方向に沿って凹んだ凹溝部が形成されていることが好ましい。
このような構成によれば、凹溝部が形成されたガイド部材の対向面を室内固定片の見込み面に対向させて配置することで、室内固定片の表面に突出した部分があったとしても、この突出部分を凹溝部に受け入れることができ、ガイド部材と室内固定片との取付誤差を吸収することができる。ここで、室内固定片の表面から突出するものとしては、例えば、室内固定片を内装材に固定するためのビスなどが例示でき、このビスの締め込み量が不足したり、ビスが傾斜したりした場合に、室内固定片の見込み面からビスの頭が突出することがある。このような場合でも、ビスの頭を凹溝部に受け入れることで、室内固定片の内面に適切に当接させて隙間が形成されないようにしつつ、ガイド部材を適正位置に設置することができる。
【００１４】
また、本発明の建具は、四周枠組みされる枠材を有して外壁開口部に固定される枠体と、この枠体の内部に支持される面材と、この面材の室内側に対向して設けられる機能面材とを備えた建具であって、前記枠材のうちの少なくとも互いに対向する一対の枠材には、見込み方向室内側に延びて内装材に固定される室内固定片が設けられ、前記機能面材が前記いずれかの取付構造によって前記枠体に取り付けられていることを特徴とする。
以上の本発明によれば、前述の取付構造と同様に、枠材と機能枠材との組み合わせが限定されることなく、各部材の汎用性を高めるとともに、既設の建具にも機能面材を後付けで取り付けることができる。
【００１５】
一方、本発明の機能面材の取付方法は、外壁開口部に設けられる建具に対して機能面材を室内側から取り付ける機能面材の取付方法であって、前記建具は、四周枠組みされた枠材を有するとともに、前記枠材のうちの少なくとも互いに対向する一対の枠材には、見込み方向室内側に延びて内装材に固定される室内固定片が設けられ、前記機能面材は、四周枠組みされる機能枠材と、この機能枠材に支持される面状部材とを有して構成されており、前記一対の枠材における前記室内固定片の見込み面に、それぞれ当該枠材の長手方向に沿ったガイド部材を仮固定し、前記機能枠材のうちの互いに対向する一対の機能枠材を前記ガイド部材に沿わせて前記枠体に位置決めしてから、前記一対の機能枠材を前記室内固定片に固定することを特徴とする。
以上の本発明によれば、前述の取付構造と同様に、枠材と機能枠材との組み合わせが限定されることなく、各部材の汎用性を高めるとともに、既設の建具にも機能面材を後付けで取り付けることができる。さらに、仮固定したガイド部材に沿って機能枠材をセットして位置決めすることで、作業工程を簡単化して作業効率を向上させることができる。
【発明を実施するための最良の形態】
【００１６】
以下、本発明の実施形態を図面に基づいて説明する。
図１は、本発明の実施形態に係る建具である縦辷出し窓１を示す縦断面図である。図２は、縦辷出し窓１を示す横断面図である。
図１および図２において、縦辷出し窓１は、戸建て住宅等の建物の外壁開口部に設けられて建物の室内空間と室外空間とを仕切る建具であり、外壁開口部に固定される枠体としての窓枠２と、この窓枠２の内側に開閉自在に支持される面材としての障子３と、この障子３の室内側に対向して設けられる機能面材としての網戸４とを備えて構成されている。窓枠２は、それぞれ枠材としての上枠５、下枠６および左右の縦枠７を四周枠組みして構成されている。障子３は、上框３１、下框３２および左右の縦框３３を四周框組みした内部にガラスパネル３４を嵌め込んで構成されるとともに、上下の支持部材３５，３６を介して窓枠２に支持され、図２の右側の縦框３３が室外側に回動するようにして開閉可能になっている。
【００１７】
上枠５は、図１に示すように、アルミ形材製の上枠本体５Ａと、この上枠本体５Ａの室内側端部に係合される上枠室内固定片（アングル材）５Ｂとを有して構成されている。上枠室内固定片５Ｂは、上枠本体５Ａから室内側に延びて設けられる樹脂製の部材であって、内装材である上額縁Ｇ１にビス５Ｃによって固定されている。一方、下枠６は、それぞれアルミ形材製の下枠室内部材６Ａおよび下枠室外部材６Ｂと、これらを連結する下枠断熱材６Ｃと、下枠室内部材６Ａの室内側端部に係合される下枠室内固定片（アングル材）６Ｄとを有して構成されている。下枠室内固定片６Ｄは、下枠室内部材６Ａから室内側に延びて設けられる樹脂製の部材であって、内装材である下額縁（窓台）Ｇ２にビス６Ｅによって固定されている。また、左右の縦枠７は、図２に示すように、アルミ形材製の縦枠本体７Ａと、この縦枠本体７Ａの室内側端部に係合される縦枠室内固定片（アングル材）７Ｂとを有して構成されている。縦枠室内固定片７Ｂは、縦枠本体７Ａから室内側に延びて設けられる樹脂製の部材であって、内装材である縦額縁Ｇ３にビス７Ｃ（図４参照）によって固定されている。
【００１８】
次に、網戸４は、それぞれ機能枠材としての上網戸枠４１、下網戸枠４２および左右の縦網戸枠４３を四周枠組みした網戸枠４０と、この網戸枠４０に支持されて室内側に開閉自在に設けられる面状部材としての網戸面材４４とを有して構成されている。網戸面材４４は、上網戸框４５、下網戸框４６および左右の縦網戸框４７が四周框組みされ、その内部にネット４８が支持されて構成されている。この網戸面材４４は、図２の左側の縦網戸框４７の上下が軸支され、図２の右側の縦網戸框４７が室内側に回動するようにして開閉可能で、網戸枠４０に磁着して閉じるようになっている。そして、網戸枠４０は、下網戸枠４２が下枠室内固定片６Ｄの上面（見込み面）に載置されるとともに、縦網戸枠４３が縦枠室内固定片７Ｂにガイド部材８を介してビス８１（固着具）で固定されている。また、上網戸枠４１と上枠室内固定片５Ｂとの間には、気密材４１Ａが介挿されており、網戸枠４０と窓枠２との間に隙間ができないようになっている。
【００１９】
次に、図３および図４も参照して、縦網戸枠４３の固定構造（機能面材の取付構造）について説明する。ここで、図３および図４は、縦枠室内固定片７Ｂおよび縦網戸枠４３を拡大して示す横断面図であり、図３は、ビス８１の高さ位置を断面した図で、図４は、ビス７Ｃの高さ位置を断面した図である。
縦枠室内固定片７Ｂは、室内外方向（見込み方向）に延びる見込み面部（見込み面）７１と、この見込み面部７１の室外側に設けられて縦枠本体７Ａに係合される係合部７２とを有して形成されている。そして、縦額縁Ｇ３の室外側端部には、縦枠室内固定片７Ｂの見込み面部７１に対応した切欠き７３が形成されており、この切欠き７３よりも室内側の縦額縁Ｇ３が縦枠室内固定片７Ｂの見込み面部７１の室内側に重なり、互いに連続した略フラットな見込み面が形成されるようになっている。一方、縦網戸枠４３は、中空状の縦網戸枠本体４３１と、この縦網戸枠本体４３１の見付け方向外側から室外側に延びる延出片部４３２とを有して形成されている。
【００２０】
また、ガイド部材８は、樹脂製の長尺部材であって、縦枠室内固定片７Ｂの見込み面部７１に沿って設けられるとともに、上枠室内固定片５Ｂと下枠室内固定片６Ｄとに渡る長さ寸法を有して形成されている。このガイド部材８は、縦枠室内固定片７Ｂの見込み面部７１と略平行に見込み方向に延びる案内面８２と、この案内面８２の室外側端から見付け方向内方に突出する位置決め部８３とを有して断面略Ｌ字形に形成されている。このようなガイド部材８によれば、案内面８２によって縦網戸枠４３の延出片部４３２を見込み方向に案内するとともに、延出片部４３２の先端を位置決め部８３に当接させることで、網戸枠４０が見込み方向および左右方向に位置決めできるようになっている。
【００２１】
さらに、ガイド部材８において、案内面８２と反対側の面であって縦枠室内固定片７Ｂの見込み面部７１と対向する対向面８４には、ガイド部材８の長手方向に沿って見込み面部７１から離れる方向に凹んだ凹溝部８５が形成されている。この凹溝部８５は、図４に示すように、縦枠室内固定片７Ｂを縦額縁Ｇ３に固定するビス７Ｃの頭部に対応した見込み方向の幅寸法を有して形成されており、ビス７Ｃの頭部が見込み面部７１から突出したとしても、この頭部を凹溝部８５に受け入れ可能に構成されている。そして、凹溝部８５よりも室外側の対向面８４には、仮固定手段としての両面テープ８６が貼付され、この両面テープ８６の接着によってガイド部材８が見込み面部７１に仮固定され、この仮固定された状態において、図３に示すように、ガイド部材８の室内側端縁８７と縦枠室内固定片７Ｂの室内側端縁７４とが略同一の見込み位置に設けられている。
【００２２】
また、ガイド部材８における凹溝部８５に対応した案内面８２には、当該ガイド部材８を見付け方向に貫通してビス８１を挿通させる挿通孔８８が形成されており、この挿通孔８８は、ガイド部材８の長手方向（上下方向）に長い長孔とされている。そして、ビス８１は、図３に示すように、縦網戸枠４３の延出片部４３２を見付け方向内側から貫通するとともに、ガイド部材８の挿通孔８８に挿通され、縦枠室内固定片７Ｂを貫通して縦額縁Ｇ３に螺合される。従って、ガイド部材８によって位置決めされた縦網戸枠４３（網戸枠４０）は、ビス８１を締め付けることによって、ガイド部材８を介して縦枠室内固定片７Ｂおよび縦額縁Ｇ３に固定されるようになっている。なお、ガイド部材８としては、予め挿通孔８８が形成されたものに限らず、挿通孔８８の形成されていないものでもよい。この場合には、縦網戸枠４３の固定に際してガイド部材８の案内面８２をビス８１で穿孔して貫通し、このビス８１を縦枠室内固定片７Ｂおよび縦額縁Ｇ３に螺合すればよい。
【００２３】
次に、図５〜図７も参照して、窓枠２への網戸４の取付方法について説明する。ここで、図５〜図７は、それぞれ網戸枠４０の取付手順を説明する斜視図であり、窓枠２における縦枠７部分を拡大して示す図である。
先ず、外壁開口部に窓枠２が固定され、図示を省略した縦額縁Ｇ３に縦枠室内固定片７Ｂがビス７Ｃによって固定された状態において、図５に示すように、ガイド部材８を両面テープ８６によって縦枠室内固定片７Ｂの見込み面部７１に仮固定する。この際、ガイド部材８の室内側端縁８７を縦枠室内固定片７Ｂの室内側端縁７４に揃えてガイド部材８を仮固定することで、縦枠７に対してガイド部材８を見込み方向に位置決めする。
【００２４】
次に、上網戸枠４１、下網戸枠４２および左右の縦網戸枠４３を四周枠組みして網戸４の網戸枠４０を予め組み立てるとともに、上網戸枠４１の上面に気密材４１Ａを貼付しておいてから、図６に示すように、室内側から網戸枠４０を窓枠２内部に挿入する。この際、縦網戸枠４３の延出片部４３２をガイド部材８の案内面８２に沿わせつつ、延出片部４３２の先端が位置決め部８３に当接するまで網戸枠４０を室外側に移動させ、網戸枠４０を見込み方向に位置決めする。そして、図１に示すように、下網戸枠４２を下枠室内固定片６Ｄの上面に載置して網戸枠４０を高さ方向に位置決めするとともに、上網戸枠４１の上面に貼付した気密材４１Ａを上枠室内固定片５Ｂに密接させる。
【００２５】
以上のように位置決めした状態で、図７に示すように、縦網戸枠４３の見付け方向内側からビス８１を延出片部４３２に貫通させ、ガイド部材８の挿通孔８８を通して縦枠室内固定片７Ｂおよび縦額縁Ｇ３にビス８１を螺合させることで、網戸枠４０を窓枠２に固定する。この後、網戸枠４０に網戸面材４４を取り付けて、網戸４の取付が完了する。
【００２６】
このような本実施形態によれば、以下のような効果がある。
（１）すなわち、対向する一対の枠材としての縦枠７における縦枠室内固定片７Ｂの見込み面部７１にガイド部材８が設けられ、このガイド部材８を介して網戸枠４０が固定できるので、枠材に予め部品固定部などを形成しておく必要がない。従って、本実施形態の縦辷出し窓１に限らず、他の形式の建具や既設の建具に対しても、その枠材の室内固定片にガイド部材８を設けるだけで、網戸枠４０のような機能枠材を固定することができるので、枠材や機能枠材の種類を増やすことなく、また利用者の要求に応じて網戸４等の機能面材を取り付けることができる。これにより各部材の汎用性が高められるとともに、既設の建具にも機能面材を後付け可能にでき、利用者の利便性を向上させることができる。
【００２７】
（２）また、ガイド部材８を介して縦網戸枠４３が縦枠室内固定片７Ｂに固定されることで、縦額縁Ｇ３に施工誤差があったり、縦額縁Ｇ３と縦枠室内固定片７Ｂとの納まりが異なっていたりしても、これらの縦枠室内固定片７Ｂや縦額縁Ｇ３から縦網戸枠４３を見付け方向内方に逃がすことができる。従って、縦枠室内固定片７Ｂや縦額縁Ｇ３と縦網戸枠４３との干渉を防止しつつ、ガイド部材８によって取付位置の精度を確保することができ、網戸４の取付精度および取付作業性を向上させることができる。
【００２８】
（３）さらに、網戸枠４０の取付に際して、ガイド部材８の案内面８２で縦網戸枠４３の延出片部４３２を見込み方向に案内するとともに、延出片部４３２を位置決め部８３に当接させて網戸枠４０を位置決めすることで、網戸４の取付精度をさらに向上させるとともに、取付作業を容易かつ確実に実施することができる。また、ガイド部材８に凹溝部８５が形成されているので、縦枠室内固定片７Ｂの見込み面部７１からビス７Ｃの頭部が突出していたとしても、この頭部を凹溝部８５に受け入れることができ、ビス７Ｃ等が邪魔にならずにガイド部材８を設置することができる。
【００２９】
（４）また、ガイド部材８を両面テープ８６によって縦枠室内固定片７Ｂの見込み面部７１に仮固定してから、このガイド部材８に沿って縦網戸枠４３をセットし、これらの縦網戸枠４３およびガイド部材８をビス８１で縦枠室内固定片７Ｂおよび縦額縁Ｇ３に固定することで、固定作業の作業工程を簡単化して作業効率を向上させることができる。さらに、ガイド部材８の室内側端縁８７を縦枠室内固定片７Ｂの室内側端縁７４に揃えてガイド部材８を仮固定することで、ガイド部材８の見込み位置を容易に位置決めすることができるとともに、ガイド部材８および縦枠室内固定片７Ｂの室内側端縁が揃っていることで、意匠性を向上させることもできる。
【００３０】
なお、本発明は、前記実施形態に限定されるものではなく、本発明の目的を達成できる他の構成等を含み、以下に示すような変形等も本発明に含まれる。
例えば、前記実施形態においては、縦辷出し窓１を例示して説明したが、本発明の建具は、縦辷出し窓１に限らず、外開き窓や横辷出し窓、突き出し窓、引違い窓、片引き窓、上げ下げ窓などであってもよい。
さらに、前記実施形態では、機能面材として内開きタイプの網戸４を例示したが、機能面材としては、内開きタイプの網戸４に限らず、ロール網戸や着脱網戸、固定網戸などの各種網戸でもよい。さらに、機能面材としては、網戸の他に、各種のブラインドやルーバー、カーテンなどの遮光装置であってもよく、意匠パネルなどであってもよい。このような遮光装置や意匠パネルであれば、前述のような開閉可能な建具に限らず、嵌め殺し窓等の開閉不能な建具に取り付けられていてもよい。
【００３１】
機能面材としてロール網戸を用いた例を以下の図８および図９を参照して説明する。ここで、図８および図９は、それぞれ本発明の変形例に係る縦辷出し窓１Ａを示す縦断面図および横断面図である。
縦辷出し窓１Ａは、前記実施形態と同様の窓枠２および障子３を備え、この障子３の室内側に対向して機能面材としてのロール網戸９が設けられている。ロール網戸９は、それぞれ機能枠材としての上網戸枠９１、下網戸枠９２および左右の縦網戸枠９３，９４を四周枠組みした網戸枠９０と、この網戸枠９０内部に左右開閉自在に支持される移動框９５およびネット９６からなる面状部材としての網戸面材９７とを有して構成されている。
【００３２】
上網戸枠９１は、上枠室内固定片５Ｂと気密材９１Ｃを介して接続される上網戸枠本体９１Ａと、この上網戸枠本体９１Ａ内部に設けられて移動框９５およびネット９６の上端を左右にスライド案内するレール部材９１Ｂとを有して構成されている。一方、下網戸枠９２は、下枠室内固定片６Ｄの上面に載置される下網戸枠本体９２Ａと、この下網戸枠本体９２Ａ内部に設けられて移動框９５およびネット９６の下端を左右にスライド案内するレール部材９２Ｂとを有して構成されている。また、図９の左側の縦網戸枠９３は、巻き取ったネット９６を収納する中空状の縦網戸枠本体９３Ａと、この縦網戸枠本体９３Ａの内部に設けられてネット９６を巻き取る巻き取り芯９３Ｂとを有し、縦網戸枠本体９３Ａには、室外側に延びる延出片部９３１が形成されている。一方、図９の右側の縦網戸枠９４は、網戸面材９７を閉じた際に移動框９５を受ける縦網戸枠本体９４Ａを有し、この縦網戸枠本体９４Ａには、室外側に延びる延出片部９４１が形成されている。
【００３３】
以上のロール網戸９において、縦網戸枠９３の延出片部９３１および縦網戸枠９４の延出片部９４１は、それぞれ前記実施形態と同様に、ガイド部材８を介して左右の縦枠室内固定片７Ｂの見込み面部７１に固定されるようになっている。
従って、機能面材としてロール網戸９を用いた場合であっても、前記実施形態と略同様の取付手順によって網戸枠９０を窓枠２に固定することができ、前記実施形態と同様の効果を得ることができる。
【００３４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３５】
【図１】本発明の実施形態に係る建具を示す縦断面図である。
【図２】前記建具を示す横断面図である。
【図３】前記建具における縦枠部分を拡大して示す横断面図である。
【図４】前記縦枠の他の部分を拡大して示す横断面図である。
【図５】前記建具における機能面材の取付手順を示す斜視図である。
【図６】図５に続く機能面材の取付手順を示す斜視図である。
【図７】図６に続く機能面材の取付手順を示す斜視図である。
【図８】本発明の変形例に係る建具を示す縦断面図である。
【図９】前記変形例の建具を示す横断面図である。
【符号の説明】
【００３６】
１，１Ａ…縦辷出し窓（建具）、２…窓枠（枠体）、３…障子（面材）、４…網戸（機能面材）、５…上枠（枠材）、６…下枠（枠材）、７…縦枠（枠材）、７Ｂ…縦枠室内固定片、８…ガイド部材、９…ロール網戸（機能面材）、４１，９１…上網戸枠（機能枠材）、４２，９２…下網戸枠（機能枠材）、４３，９３，９４…縦網戸枠（機能枠材）、４４，９７…網戸面材（面状部材）、７１…見込み面部、７４，８７…室内側端縁、８１…ビス（固着具）、８２…案内面、８３…位置決め部、８４…対向面、８５…凹溝部、Ｇ３…縦額縁（内装材）。
【図１】
2010053626.tif 000003
【図２】
2010053626.tif 000004
【図３】
2010053626.tif 000005
【図４】
2010053626.tif 000006
【図５】
2010053626.tif 000007
【図６】
2010053626.tif 000008
【図７】
2010053626.tif 000009
【図８】
2010053626.tif 000010
【図９】
2010053626.tif 000011